(57)【要約】【課題】ウイングの粘着材に貼られている剥離紙を剥がし易くしたウイング付き吸収性物品を提供する。【解決手段】肌当接面側に配置される液透過性の表面シート１と、非肌当接面側に配置される液不透過性の裏面シート２と、前記両シート間に介在される吸収体３とを有する縦長の吸収性本体４の両側部に、該吸収性本体４の幅方向外方に延出する一対のウイング５を有するウイング付き吸収性物品であって、前記ウイング５の前記裏面シート１側の面に粘着層６を有し、前記ウイング５は前記表面シート１の肌当接面側に折り畳まれ、前記両ウイング５の粘着層６にまたがって剥離紙７が貼り付けられ、折り畳まれた前記一対のウイング５の少なくとも一方の付け根部には、前記剥離紙７を剥がす際に指で押さえる位置を示す押さえ位置マーク８を有する剥離紙を備えるウイング付き吸収性物品を提供する。【選択図】図１
0003196243.tif 000002
【実用新案登録請求の範囲】
【請求項１】
肌当接面側に配置される液透過性の表面シートと、非肌当接面側に配置される液不透過性の裏面シートと、前記両シート間に介在される吸収体とを有する縦長の吸収性本体の両側部に、該吸収性本体の幅方向外方に延出する一対のウイングを有する縦長のウイング付き吸収性物品であって、
前記ウイングの前記裏面シート側の面に粘着層を有し、
前記ウイングは前記表面シートの肌当接面側に折り畳まれ、
前記両ウイングの粘着層にまたがって剥離紙が貼り付けられ、
折り畳まれた前記一対のウイングの少なくとも一方の付け根部には、前記剥離紙を剥がす際に指で押さえる位置を示す押さえ位置マークを有する剥離紙を備えるウイング付き吸収性物品。
【請求項２】
前記押さえ位置マークは前記吸収性本体の両側部のどちらか一方にのみ有し、前記剥離紙は前記押さえ位置マークとは前記吸収性本体の幅方向反対側に前記剥離紙の剥がし方向を示す剥離表示マークを有する請求項１記載の剥離紙を備えるウイング付き吸収性物品。
【請求項３】
前記押さえ位置マークは印刷により作製されている請求項１または請求項２記載の剥離紙を備えるウイング付き吸収性物品。
【請求項４】
前記粘着層は間隔を置いて線状に配されている請求項１から請求項３のうちのいずれか１項に記載の剥離紙を備えるウイング付き吸収性物品。
【請求項５】
肌当接面側に配置される液透過性の表面シートと、非肌当接面側に配置される液不透過性の裏面シートと、前記両シート間に介在される吸収体とを有する吸収性本体の両側部に外方に延出するウイングを有するウイング付き吸収性物品であって、
前記ウイングの前記裏面シート側の面に粘着層を有し、
前記両ウイングは、一方のウイングが他方のウイングの一部上に重なるように前記表面シート側に折り畳まれ、
前記両ウイングの粘着層にまたがって剥離紙が貼り付けられ、
前記剥離紙の前記一方のウイング側に、前記吸収性本体の長手方向に対して斜め方向に向かって前記剥離紙を剥がすように指示する剥離表示マークを有する請求項４記載の剥離紙を備えるウイング付き吸収性物品。
【考案の詳細な説明】
【技術分野】
【０００１】
本考案はウイング付き吸収性物品に関する。
【背景技術】
【０００２】
生理用ナプキン、パンティーライナ、おりものシート、女性用失禁パッドといった女性用吸収性物品（以下、単に吸収性物品とも言う。）は、着用時のずれを防止するように、吸収性物品の両側部から外方に延出したいわゆるウイングを有しているものがある。ウイングは、ショーツ等に貼り付ける粘着層を有しており、粘着層には粘着自在にそれを保護する剥離紙が貼り付けられている。
特許文献１には、着用者による衛生ナプキンの最初の使用前には、フラップ（ウイングに相当）がトップシート上に互いに連結されることなく折畳まれていることが開示されている。フラップがトップシートに向いた状態に維持するための手段として、フラップ上の接着剤の各パッチに接着され且つ両フラップを橋渡しする一体の剥離ストリップがある。剥離ストリップは中央から剥がす。
【０００３】
特許文献２には、ウイング付吸収性物品が開示されている。ウイング付吸収性物品は、長手方向中間の両側に、使用状態においてショーツの股間部の側縁を回り込んでショーツ外面にそれぞれ当てがわれるウイングを一体的に有する。両ウイングの非使用面にはズレ止め用粘着手段がそれぞれ形成され、かつズレ止め用粘着手段に対し、これを完全に覆った状態で剥離紙がそれぞれ仮着されている。両剥離紙は、少なくともそれぞれ対応するズレ止め用粘着手段の内側縁を越えてさらに内方側に延在する未仮着部分を有している。かつ未仮着部分の全部または一部が反対側に折り返されて、ウイング展開状態で起立する摘み部となっている。これによって、ウイングズレ止め用粘着手段に仮着されている剥離紙の摘み部分が折り返され起立しているため、摘み部分を摘んで剥離紙を簡単に剥離することができるとされている。
【０００４】
特許文献３には、複数枚積層されたパッドが開示されている。このパッドは、互いに剥離可能に仮着される仮着部と、非着部とを含む。パッドには、吸液性シートから視認可能な表示要素が形成されている。表示要素は、パッドの周縁に位置する非着部であって少なくともその一部を表示可能としている。これによって、表示要素を目印にして積層されたパッドを剥離する際に挟持位置を容易に判断することができるとされている。
【０００５】
特許文献４には、ウイング状フラップが形成された吸収性物品が開示されている。この吸収性物品は、ウイング状フラップに形成されたズレ止め粘着層が幅方向に横断するウイング用剥離材によって覆われている。ウイング状フラップは、透液性表面シート側にウイング用剥離材と共に折り畳まれている。これによって、ウイング状フラップの外面シートの破れを防止することが可能となるとされている。
【０００６】
生理用ナプキンは、ナプキンよりも幅広で縦長い個装シートと積層されて、ナプキン長手方向の肌当接面側に三つ折や四つ折等に共に折りたたまれている。この状態で、個装シートの長手方向の両側部をシート（フィルム）同士熱シール等されて、使用されるまでに埃や汚れからナプキンを清潔に維持するための個装体が形成されている。
生理用ナプキン等をショーツに装着する場合、主に二通りの方法が挙げられる。一つの方法は、生理用ナプキン本体の粘着材部分に貼られている剥離紙を剥がして、生理用ナプキン本体をショーツに貼り付けてから、ウイングとヒップガードの粘着材部分に貼られている剥離紙を剥がして、それらの部分をショーツに貼り付ける。もう一つの方法は、全ての剥離紙を剥がしてから生理用ナプキン本体、ウイング、ヒップガード等をショーツに貼り付けて装着する。
【先行技術文献】
【特許文献】
【０００７】
【特許文献１】特許第３１００６２９号公報
【特許文献２】特開平８―６６４２７号公報
【特許文献３】ＷＯ２０１１／０１３２０８Ａ１明細書
【特許文献４】特開２０１１―５０４０５号公報
【考案の概要】
【考案が解決しようとする課題】
【０００８】
特許文献１に開示された剥離ストリップでは、衛生ナプキンのどの部分を持って剥離ストリップを剥がしたらよいのかが示されておらず、剥離ストリップを剥がす際にフラップの付け根付近を破いてしまうことがあった。破いてしまうという点については、特許文献２に開示されたウイング付吸収性物品でも、特許文献４に開示された個装吸収性物品でも同様であった。
また、前述の剥離紙を剥がす際に、生理用ナプキンのどの部分を持って剥離紙を剥がすのが最も剥がし易いのかわかりにくい、また剥離紙が簡単に上手く剥がれない、という着用者の意見が寄せられていた。特に、ウイングの粘着層に貼られている剥離紙を剥がすときに、ウイングの付け根部分を破ってしまうことがあった。これは、ウイングがナプキン本体から幅方向外方に延出されていることから、装着時に使用者は、片方の手でナプキンの任意の本体部を掴み、他方の手で折り畳まれたウイングの粘着剤に貼り付けられた剥離紙を摘んで剥がそうとする。すると剥離紙につられて、ウイングが引っ張られながら粘着部から剥離紙が剥がされる。このとき、ナプキン本体からウイングが延出しはじめるナプキン本体とウイングの境界近傍、即ち、付け根部に引裂くかのような力が集中して、ウイングの付け根部分を破いてしまうことがあった。
本考案は、ウイングの付け根部分を破くことなく、ウイングの粘着材に貼られている剥離紙を剥がし易くした剥離紙を備えるウイング付き吸収性物品を提供することにある。
【課題を解決するための手段】
【０００９】
本考案は、肌当接面側に配置される液透過性の表面シートと、非肌当接面側に配置される液不透過性の裏面シートと、前記両シート間に介在される吸収体とを有する縦長の吸収性本体の両側部に、該吸収性本体の幅方向外方に延出する一対のウイングを有する縦長のウイング付き吸収性物品であって、前記ウイングの前記裏面シート側の面に粘着層を有し、前記ウイングは前記表面シートの肌当接面側に折り畳まれ、前記両ウイングの粘着層にまたがって剥離紙が貼り付けられ、折り畳まれた前記一対のウイングの少なくとも一方の付け根部には、前記剥離紙を剥がす際に指で押さえる位置を示す押さえ位置マークを有する剥離紙を備えるウイング付き吸収性物品を提供する。
【考案の効果】
【００１０】
本考案のウイング付き吸収性物品では、剥離紙を剥がす際に生じることがあったウイングの付け根部分の破れを防止することができる。
【図面の簡単な説明】
【００１１】
【図１】本考案の好ましい一実施形態としての生理用ナプキンを伸長した状態で肌当接面方向から見た一部切欠斜視図である。
【図２】第１実施形態に係る生理用ナプキンを伸長した状態で肌当接面方向からみた押さえ位置マークの形態を示した模式的平面図である。
【図３】第１実施形態に係る生理用ナプキンを伸長した状態で肌当接面方向からみた剥離表示マークの形態を示した模式的平面図である。
【図４】第１実施形態に係る生理用ナプキンを伸長した状態で肌当接面方向からみた剥離表示マークの形態を示した模式的平面図である。
【図５】第１実施形態に係る生理用ナプキンを伸長した状態で肌当接面方向からみた摘み部の形態を示した模式的平面図である。
【図６】第１実施形態に係る生理用ナプキンを伸長した状態で肌当接面方向からみた摘み部の好適な一例を示した模式的平面図である。
【図７】剥離紙の剥離強度の測定方法を示した斜視図である。
【図８】粘着層に係る実施例および比較例を示した平面図である。
【図９】本考案の第２実施形態のウイング付き吸収性物品の生理用ナプキンを示した模式的平面図である。
【図１０】本考案の第３実施形態のウイング付き吸収性物品の生理用ナプキンを示した模式的平面図である。
【考案を実施するための形態】
【００１２】
本考案に係るウイング付き吸収性物品の好ましい一実施形態（第１実施形態）について生理用ナプキンを一例として、図１ないし図６を参照しながら、以下に説明する。
【００１３】
図１に示すように、本考案の生理用ナプキン１００は以下に説明する基本構成を有する。すなわち、肌当接面側に配置される液透過性の表面シート１と、非肌当接面側に配置される液不透過性の裏面シート２と、表面シート１と裏面シート２との間に介在される液保持性を有する吸収体３と、を有する吸収性本体４を備えている。さらに、この吸収性本体４の両側部に外方に延出するウイング５（５ａ，５ｂ）を備えている。このウイング５ａ，５ｂの各付け根部分は、ウイング５を広げた状態で、円弧状もしくは鈍角に形成されている。なお、図面では、ウイング５を折り畳んだ状態を示している。
【００１４】
上記吸収性本体４の形状は、装着時に着用者の股下部分を介して下腹部側から臀部側へと配される長手方向（Ｙ方向）とこれと直交する幅方向（Ｘ方向）とを有する縦長の形状である。本考案においては、特に断らない限り、人体に接触する側を肌当接面側または表面側といい、下着に接する側を非肌当接面側または裏面側という。さらに生理用ナプキン１００の平面視において相対的に長さのある方向を長手方向といい、この長手方向と直交する方向を幅方向という。上記長手方向は典型的には装着状態において人体の前後方向と一致する。
【００１５】
上記ウイング５は、撥水性の嵩高で繊維密度の疎な柔らかい不織布からなり、その基部が上記表面シート１と裏面シート２とに挟持され固定されていて、それぞれ裏面シート２側の面に粘着層６を有している。この粘着層６は、例えば、ホットメルト接着剤が用いられる。そしてウイング５は、折り曲げ自在となっており、本考案では表面シート１側に折り畳まれている。
このように生理用ナプキン１００の使用時に股下にあたるウイング５が柔らかな不織布からなるため、この部分が肌に触れてもフィルムのようなごわつき感を感じることなく柔らかな肌触りとなる。
上記ウイング５は、上記形態に限定されることはなく、吸収性本体４の両側部の外方に延出するように配されたものであり、上記粘着層６を有し、表面シート１側に折り畳まれているものであれば、如何なる形態であってもよい。
【００１６】
さらに折り畳まれた両ウイング５の粘着層６には、両粘着層６（６ａ，６ｂ）にまたがって剥離紙７が貼り付けられている。剥離紙７は、一般の生理用ナプキンの剥離紙と同様な材料のものを用いることができる。具体的には、シリコーン処理剤の塗工量が例えば０．１ｇ／ｍ２以上５ｇ／ｍ２以下の剥離処理した上質紙、グラシン紙、ポリエチレンフィルム、それらの複合物等が挙げられる。この剥離処理は、公知の手法を用いて行うことができる。さらに剥離紙７は、その外形が両粘着層６を被覆する大きさであればよく、図示したように必ずしも矩形である必要はない。上記粘着層６ａ，６ｂを完全に被覆する形状であれば、如何なる形状であってもよく、矩形（長方形、正方形）の他に、例えば、多角形、長円形、楕円形、円形、またはそれらの一部が延出された形状、それらの一部がくびれた形状、等であってもよい。
【００１７】
上記ウイング５は、上記粘着層６から上記剥離紙７を剥がして、装着者のショーツの股下部に巻きつけて貼り付けて固定するもので、上述の粘着層６を固定材といている。このウイング５は、吸収性本体４の排泄部（膣口）対向領域に配される。この排泄部対向領域は、昼用の場合には生理用ナプキン１００の長手方向中央部であり、夜用の場合には生理用ナプキン１００の長手方向前方であり、物品の使用目的等に合わせてその位置が設定される。
【００１８】
上記剥離紙７を剥がし始める側に対し吸収性本体４の幅方向反対側における吸収性本体４とウイング５の付け根部分とにまたがって、剥離紙７を剥がす際に指で押さえる位置を示す押さえ位置マーク８を有する。例えば、一方のウイング５ｂの図面上端側とその近傍の吸収性本体４の側部に、上記押さえ位置マーク８は配されている。この押さえ位置マーク８は、種々の形態を採用することができ、指で押さえる位置が明確にわかる表示であれば、図形、絵（イラストを含む）、記号、文字等、如何なる表示手段であってもよい。例えば、図２（１）に示すような吸収性本体４の色とは異なる色で表示された矩形８ａ、または図示はしていない、三角形、円形、楕円形、長円形等の図形等が挙げられる。また図２（２）に示すような指の先端部を模式的に描いた指マーク８ｂ、図２（３）に示すような矢印８ｃ、図２（４）に示すような文字、例えば「押さえ位置」、「持つ位置」等が挙げられる。上記図形、絵、記号、文字等は上述したものに限定されるものではなく、指で押さえることが表示されるものであれば、如何なる表示であってもよい。
これらの押さえ位置マーク８は、印刷により作製されたものであってもよく、エンボス加工によって作製されたものであってもよい。したがって押さえ位置マーク８は容易に作製することができる。
印刷の場合、暗闇での視認性を得るために、太陽光や蛍光灯などの光エネルギー（紫外線）を吸収して発光し、エネルギーの供給が止まった後も暗闇で徐々に光を放出する材料である蓄光塗料を塗布すると視認性が向上する。蓄光材は、アルミナ系酸化物の無機顔料であり、１０００℃以上の温度で溶融されて作られたものが安全性の点で好ましい。
【００１９】
さらに、上述の押さえ位置マーク８が上記吸収性本体４の両側部のどちらか一方に有している場合、上記剥離紙７は、押さえ位置マーク８とは吸収性本体４の幅方向反対側に、この剥離紙７の剥がし方向Ａを示す剥離表示マーク９を有している。例えば、図３（１）に示すように、剥離表示マーク９は、生理用ナプキン１００全体に用いられる乳白色とは異なる色の図形（例えば、三角形、矢印等）の表示としてもよい。また図３（２）に示すように、剥離表示マーク９は、吸収性本体４の幅方向において押さえ位置マーク８が存する側とは反対側の位置から斜め方向に、当該剥離紙７の表面に、吸収性本体４とは異なる色で濃い色から薄い色に段階的または無段階的に変化するようにグラデーションを表したものであってもよい。
【００２０】
次に剥離表示マーク９の変形例について以下に説明する。
図３（３）に示すように、剥離表示マーク９は、吸収性本体４の長手方向において押さえ位置マーク８が存する側で剥離紙７の中央部に、吸収性本体４とは異なる色の図形で表示してもよい。例えば、図示したような一辺側に円弧形状を有する四角形、または図示していない、剥がし方向Ａに頂点を配する逆三角形、矢印、等が挙げられる。また、図３（４）に示すように、剥離表示マーク９は、グラデーションで表したものであってもよい。例えば、吸収性本体４の長手方向において押さえ位置マーク８が存する側から反対方向に、当該剥離紙７の表面に、吸収性本体４とは異なる色で濃い色から薄い色に段階的または無段階的に変化するグラデーションでもよい。
さらに、図４に示すように、剥がし方向Ａを模様１０の大きさの変化で表してもよい。例えば剥がし方向Ａに向かって、大きい模様１０ａから順に小さい模様１０ｂ、１０ｃになるように表示されているものであってもよい。その模様１０は、一つの模様であっても、図示したように、複数の模様（花模様）の集合体を一つの模様としたものであってもよい。また模様１０は、図示したように、花模様であっても、その他の模様であってもよい。さらに模様１０は彩色されていることが好ましく、その色は、剥がし方向Ａに向かって濃い色から薄い色に彩色されていてもよく、また色が徐々に変化するようにグラデーションが付けられていてもよい。
以上説明したように、剥離表示マーク９は、剥離開始位置がわかるようなものであればよく、図形、文字、記号、絵（イラストを含む）、グラデーション等は問わない。
【００２１】
上記剥離紙７は、吸収性本体４の長手方向において押さえ位置マーク８が配されている側の剥離紙７の一辺に摘み部１１が配されていてもよい。この摘み部１１は、剥離紙７を外方に延出させるように配されている。例えば、図５（１）に示すように、剥離紙７は、吸収性本体４の幅方向において押さえ位置マーク８が存する側とは反対側に吸収性本体４の長手方向に伸びる矩形状の摘み部１１を有する。
また図５（２）に示すように、上述の摘み部１１を吸収性本体４とは異なる色にしたものであってもよい。または、前述したような剥離表示マーク９が表示されていてもよい。
さらに図５（３）に示すように、剥離紙７は、吸収性本体４の長手方向において押さえ位置マーク８が存する側で剥離紙７の端辺中央部に摘み部１１を有してもよい。
またさらに図５（４）に示すように、上述の摘み部１１を吸収性本体４とは異なる色にしたものであってもよい。または、前述したような剥離表示マーク９が表示されていてもよい。
【００２２】
上記摘み部１１は、剥離紙７を剥がし始める位置に配されることが好ましい。すなわち、吸収性本体４の幅方向において押さえ位置マーク８が存する側とは反対側、または吸収性本体４の長手方向において押さえ位置マーク８が存する側で剥離紙７の端辺中央部に配することが好ましい。
【００２３】
また上述の摘み部１１は、図６に示すように、摘み部１１の自由端が円弧状を成していることが好ましい。このように円弧状を成していることで、摘み部１１が摘まみやすくなるので、剥離紙７を剥がし易くなる。また、摘み部１１は、上述したように、吸収性本体４とは異なる色にしたものであってもよく、さらに上述の剥離表示マーク９が表示されていることが好ましい。
上述したように、摘み部１１に剥離表示マーク９が表示されていることで、確実に摘み部１１を持ってその位置から剥離紙７を剥がすようになる。これによって、剥離紙７の間違った位置を摘まんで剥がすことでウイング５の付け根部分を破くようなことが防止される。なお、摘み部１１の色を吸収性本体４とは異なる色にしたものも一種の剥離表示マーク９であるといえる。
【００２４】
上記粘着層６は、上記剥離紙７の剥がし方向Ａに沿うように、間隔を置いて配されていることが好ましく、具体的には、剥がし方向Ａに対して±４５°の方向に間隔を置いて配されていることが好ましい。例えば、剥がし方向Ａが吸収性本体４の長手方向（Ｙ方向）に対して右回りに４５°の場合、Ｙ方向に対して０°から剥がし方向Ａに沿う方向を含みＹ方向に対して右回りに９０°の方向に、間隔を置いて配される。剥離紙７の剥離時の剥離強度は、粘着層６が上記剥離紙７を接着可能な範囲内で低いほうが好ましく、１００ｇ以下、好ましくは６０ｇ以下、より好ましくは３０ｇ以下である。剥離強度の測定方法は後述する。
【００２５】
上記吸収性本体４は通常この種の生理用ナプキン等に用いる材料を使用することができ、特に限定されるものではない。
表面シート１は、親水性不織布で形成されることが好ましい。親水性不織布としては、エアースルー不織布、ポイントボンド不織布、スパンボンド不織布、スパンレース不織布、立体賦形不織布と呼ばれている不織布で、その繊維がポリプロピレンの単繊維や、ポリプロピレンとポリエチレンの複合繊維、ポリエチレンテレフタレートとポリエチレンの複合繊維等で親水化処理が施された繊維が好ましく使用できる。
【００２６】
上記裏面シート２は、防水性があり透湿性を有していれば特に限定されない。例えば疎水性の熱可塑性樹脂と、炭酸カルシウム等からなる微小な無機フィラーまたは相溶性のない有機高分子等とを溶融混練してフィルムを形成し、該フィルムを一軸または二軸延伸して得られる多孔性フィルムが挙げられる。熱可塑性樹脂としては、ポリオレフィンが挙げられる。該ポリオレフィンとしては、高密度ないし低密度ポリエチレン、線状低密度ポリエチレン、ポリプロピレン、ポリブテン等が挙げられ、これらを単独でまたは混合して用いることができる。
【００２７】
吸収体３には、例えば、繊維集合体またはこれと吸収性ポリマーとを併用させたもの等を用いることができる。繊維集合体を構成する繊維としては、パルプ繊維等の親水性天然繊維や、合成繊維（好ましくは親水化処理を施したもの）等を用いることができる。坪量は特に限定されないが、１５０ｇ／ｍ２以上５００ｇ／ｍ２以下が好ましい。また吸収体３を被覆する被覆シートを用いることもできる。この被覆シートには、親水性のティッシュペーパー等の薄手の紙（薄葉紙）、コットンやレーヨンなどの親水性繊維からなる不織布、合成樹脂の繊維に親水化処理を施してなる不織布（スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）等の複合不織布）等を用いることができる。
【００２８】
以上、説明したように上述の生理用ナプキン１００は、剥離紙７を剥がす際に、押さえ位置マーク８を指で押さえて剥離紙７を剥がす。したがって、ウイング５の破れやすい位置が指で押さえられるので、剥離紙７を剥がす際に生じることがあったウイング５の付け根部分での破れを防止することができる。また、剥離表示マーク９が表示されていることにより、剥がし始める位置、剥がす方向に迷いを生じることなく、剥離紙７をスムースに剥がすことができる。
【００２９】
次に、剥離強度の測定方法及び剥がし易さの評価方法について、以下に説明する。
図７に示すように、測定機器にはプッシュプルゲージ２００を用いる。測定方法は、製品本体（吸収性本体４）の粘着層６側の前部をクリップ２２０で挟みこみ、プッシュプルゲージ２００の測定物を吊り下げるフック２１０によってクリップ２２０を吊り下げる。この状態で粘着層６の上に貼られている剥離紙７の先端部を指で持って剥がす。剥がす速度は一定とすることが好ましい。測定はプッシュプルゲージ２００で測定される荷重値を読み取り、その値を粘着層６に対する剥離紙７の剥離強度とする。
【００３０】
また、剥がし易さは以下のように評価する。
剥離紙７を剥がす際に抵抗を感じることがなく軽く剥がせる場合を剥がし易いとして「１」で表す。また剥離紙７を剥がす際に抵抗を感じるが無理なく剥がせる場合を剥がすことが可能として「２」で表す。さらに剥離紙７を剥がす際に大きな抵抗を感じ剥がしにくい場合を剥がしにくいとして「３」で表す。
【００３１】
次に粘着層６に関する実施例を以下に説明する。本考案のウイング付き吸収性物品（生理用ナプキン１００）はこれらの実施例に限定されるものではない。
実施例１は、図８（１）に示すように、粘着層６の粘着剤にホットメルト接着剤を用いた。粘着層６が配されている領域の総面積を４５０ｍｍ２、１本の粘着層６の幅が３ｍｍ、粘着層６の間隔が３ｍｍ、剥がし方向Ａに対する粘着層６が配されている角度が４５°であった。剥がし方向Ａは、吸収性本体４の長手方向（Ｙ方向）に対して右回りに４５°の方向である。
実施例２は、図８（２）に示すように、剥がし方向Ａに対する粘着層６が配されている角度が９０°であり、粘着層６が配されている領域の総面積が４５０ｍｍ２である以外、実施例１と同様であった。剥がし方向Ａは、吸収性本体４の長手方向（Ｙ方向）に対して右回りに４５°の方向である。
【００３２】
比較例１は、図８（３）に示すように、剥がし方向Ａ（吸収性本体４の長手方向（Ｙ方向）に対して右回りに４５°の方向）に対する粘着層６が配されている角度１３５°である以外、実施例１と同様であった。
比較例２は、図８（４）に示すように、粘着層６が面積９００ｍｍ２（３０ｍｍ×３０ｍｍ）の全面に配されているものである。
上記実施例１〜２、比較例１〜２の評価結果を表１に示す。
【００３３】
【表１】
0003196243.tif 000003
【００３４】
実施例１は、剥離紙７を剥がす際の剥離抵抗が２０ｇ〜３０ｇであり抵抗がなく軽く剥がすことができた（「１」で示した。）。
実施例２は、剥離紙７を剥がす際の剥離抵抗が５０ｇ〜６０ｇであり抵抗を感じるが剥がすことができた（「２」で示した。）。
一方、比較例１〜２は、剥離紙７を剥がす際の剥離抵抗が７０ｇ〜１２０ｇであり抵抗が大きく剥がしにくかった（「３」で示した。）。
【００３５】
次に、本考案に係るウイング付き吸収性物品の好ましい第２実施形態として生理用ナプキンを一例にして、図９を参照しながら、以下に説明する。
【００３６】
図９に示すように、本考案の第２実施形態の生理用ナプキン１００は、剥離紙７を除いて前記第１実施形態と同様の構成を有している。剥離紙７は、吸収性本体４の長手方向（Ｙ方向）に対して斜め方向（剥がし方向Ａ）に向かって剥がしたときに、この剥離紙７が一方のウイング５（５ａ）の粘着層６（６ａ）から完全に剥がれる前に他方のウイング５（５ｂ）の粘着層６（６ｂ）から剥がれ始める大きさを有する。かつ剥離紙７は、剥がし方向Ａに向かって剥がすように指示する剥離表示マーク９を有する。また剥離表示マーク９の代わりに摘み部（図示せず）を有してもよく、この摘み部に剥離表示マークが表示されていてもよい。剥離表示マーク９は、剥離紙７を斜め方向（剥がし方向Ａ）に向かって剥離紙７を剥がすように指示するものであればよく、例えば前記第１実施形態で説明したのと同様なものを用いることができる。
また、上記剥離紙７は、剥がし始める位置が存する側（この場合は図面上方）に延長されて配されていてもよい。この場合、剥離紙７を延長することで、指で剥離紙７をつまみやすくなることと、斜め方向から剥がすことで一方側（例えば右側）の剥離が終わらないうちに他方側（例えば左側）の剥離が開始されるので剥がしやすくなるという効果が得られる。
【００３７】
上記第２実施形態の生理用ナプキン１００では、剥離紙７は、剥がし方向Ａにそって剥がす。このとき、剥離紙７は、図面２点鎖線で示す位置を順次通って剥がされていく。そして、２点鎖線Ｌ１の位置に剥離紙７の剥がされる位置がきたとき、剥離紙７は粘着層６ａから剥がされ始める。この時、ウイング５ａは、粘着層６ａを介して剥離紙７によって剥がし方向Ａに引っ張られる。しかし、ウイング５ａの付け根部分は、円弧状または鈍角になっているために破れることはない。そして、剥離紙７をさらに剥がしていくと、粘着層６ａから剥離紙７が完全に剥がれる前に、他方の粘着層６ｂから剥離紙７は剥がされ始める（剥離紙７の剥離位置が２点鎖線Ｌ２の位置）。この状態では、剥離紙７自体によってウイング５ｂが抑えられている。さらに剥離紙７を剥がしていくと、ウイング５ｂは、粘着層６ｂを介して剥離紙７によって剥がし方向Ａに引っ張られる。しかし、ウイング５ｂの付け根部分は円弧状または鈍角になっているため、破れることはない。このように、剥離紙７を剥がす際に、ウイング５の付け根部分に集中的に力が加わらないようになっているので、剥離紙７を剥がしている時にウイング５の付け根部分で破れが発生するのを防止することができる。
【００３８】
上記第２実施形態の生理用ナプキン１００では、上述したように、ウイング５ｂの付け根部分での破れを防止することができる。また、剥離表示マーク９が表示されていることにより、剥がし始める位置、剥がす方向に迷いを生じることなく、剥離紙７をスムースに剥がすことができる。さらに、第１実施形態で説明したような押さえ位置マーク８がなくても、ウイング５ｂの付け根部分での破れを防止しつつ、剥離紙７をスムースの剥がすことができる。
【００３９】
次に、本考案に係るウイング付き吸収性物品の好ましい第３実施形態として生理用ナプキンを一例にして、図１０を参照しながら、以下に説明する。
【００４０】
図１０に示すように、本考案の第３実施形態の生理用ナプキン１００は、ウイング５と剥離紙７とを除いて前記第１実施形態と同様の構成を有している。ウイング５（５ａ，５ｂ）は、表面シート１側に折り畳んだときに、一方のウイング５（５ａ）が他方のウイング５（５ｂ）の一部上に重なる大きさを成している。そしてウイング５（５ａ，５ｂ）は、一方のウイング５（５ａ）が他方のウイング５（５ｂ）の一部上に重なるように表面シート１側に折り畳まれている。このウイング５には、第１実施形態と同様に、粘着層６が配されている。さらに粘着層６には剥離紙７が貼り付けられている。剥離紙７は、一方のウイング５（５ａ）側に、吸収性本体４の長手方向に対して斜め方向に向かって剥離紙７を剥がすように指示する剥離表示マーク９を有している。この剥離表示マーク９は、剥離紙７を吸収性本体４の長手方向に対して斜め方向に向かって剥がすように指示するものであればよく、例えば第１実施形態で説明したのと同様なものを用いることができる。
【００４１】
上記第３実施形態の生理用ナプキン１００では、剥離紙７は、剥離表示マーク９から剥がし方向Ａにそって剥がす。このとき、剥離紙７は、図面２点鎖線で示す位置を順次通って剥がされていく。そして、２点鎖線Ｌ１の位置に剥離紙７の剥がされる位置がきたとき、剥離紙７は粘着層６ａから剥がされ始める。この時、ウイング５ａは、粘着層６ａを介して剥離紙７によって剥がし方向Ａに引っ張られる。しかし、ウイング５ａの付け根部分は円弧状または鈍角になっているために破れることはない。さらに剥離紙７を剥がしていくと、剥離紙７の剥がす位置が２点鎖線Ｌ２の位置にきたとき、剥離紙７はウイング５ｂから剥がれ始める。そしてウイング５ａから剥離紙７が完全に剥がれる前に、他方の粘着層６ｂから剥離紙７は剥がされ始める（剥離紙７の剥離位置が２点鎖線Ｌ３の位置）。この状態では、剥離紙７によってウイング５ａを介してウイング５ｂが抑えられている。すなわち、ウイング５ａ，５ｂが重なりあった部分で、上側のウイング５ａが下側のウイング５ｂを抑えている。このため、ウイング５ｂは、粘着層６ｂを介して剥離紙７によって剥がし方向Ａに引っ張られる。しかし、ウイング５ｂの付け根部分に力が加わりにくくなっているので、その部分が破れることはない。なお、剥離紙７が粘着層６ｂから完全に剥がれる前にウイング５ｂの付け根分から剥離紙７が剥がされる。このとき、ウイング５ｂの付け根部分は円弧状または鈍角になっているために破れることはない。
このように、剥離紙７を剥がす際に、ウイング５の付け根部分に集中的に力が加わらないようになっているので、剥離紙７を剥がしている時にウイング５の付け根部分で破れが発生するのを防止することができる。
【００４２】
上記第３実施形態の生理用ナプキン１００では、上述したように、ウイング５ｂの付け根部分での破れを防止することができる。また、剥離表示マーク９が表示されていることにより、剥がし始める位置、剥がす方向に迷いを生じることなく、剥離紙７をスムースに剥がすことができる。さらに、第１実施形態で説明したような押さえ位置マーク８がなくても、ウイング５ｂの付け根部分での破れを防止しつつ、剥離紙７をスムースに剥がすことができる。
【００４３】
上記各実施形態では、図面右上側から左下方向に向けて剥離紙７を剥がすように説明した。なお、利き手が異なる場合には、逆に図面左上側から右下側に向けて剥離紙７を剥がすように、剥離表示マーク９が表示されていてもよい。この場合、上記第１実施形態の押さえ位置マーク８も第１実施形態の表示位置とは反対側に配されることが好ましい。
さらに、右利き用、左利き用の両方に対応するように、前記各実施形態で説明した位置に対応するように、両側に押さえ位置マーク８、剥離表示マーク９を表示することも好ましい。この場合、右利き用、左利き用の区別を明確にしておく。例えば、右利き用の押さえ位置マーク８および剥離表示マーク９は第１の色で表示し、左利き用の押さえ位置マーク８および剥離表示マーク９は第１の色とは異なる第２の色で表示することが好ましい。この第１の色、第２の色は、異なる色であればどのような色であってもよく、例えば補色または補色に近い色の関係を有することも好ましい。また補色の関係を有する場合、第１の色と第２の色を同時に見た場合に目がチカチカしないように、第１の色と第２の色の明度は異なるようにすることが好ましい。さらに、第１の色と第２の色は、視認が容易にできる範囲内で、いわゆる薄い色とすることも好ましい。
【符号の説明】
【００４４】
１  表面シート
２  裏面シート
３  吸収体
４  吸収性本体
５，５ａ，５ｂ  ウイング
６，６ａ，６ｂ  粘着層
７  剥離紙
８  押さえ位置マーク
９  剥離表示マーク
１０  第１坪量部
１１  第２坪量部
Ｘ  吸収性本体の幅方向
Ｙ  吸収性本体の長手方向
【図１】
0003196243.tif 000004
【図２】
0003196243.tif 000005
【図３】
0003196243.tif 000006
【図４】
0003196243.tif 000007
【図５】
0003196243.tif 000008
【図６】
0003196243.tif 000009
【図７】
0003196243.tif 000010
【図８】
0003196243.tif 000011
【図９】
0003196243.tif 000012
【図１０】
0003196243.tif 000013